(57)【要約】【課題】大きなノイズを伴う多量の火薬の爆発と、車両乗員の範囲における多量の高温ガスとを回避する。【解決手段】ガス圧力容器（１０２）を開放するための装置（１０４）が、ガス圧力容器（１０２）を気密に閉鎖するためのバーストディスク（１０８）と、点火パルスに応答して前記バーストディスク（１０８）を破壊するための火薬（１１０）とを有し、前記火薬（１１０）は、前記バーストディスク（１０８）の表面に直接に接触して配置されている。【選択図】図１
2014091521.tif 000002
【特許請求の範囲】
【請求項１】
ガス圧力容器（１０２）を気密に閉鎖するためのバーストディスク（１０８）と、
点火パルスに応答して前記バーストディスク（１０８）を破壊するための火薬（１１０）とを有し、前記火薬（１１０）は、前記バーストディスク（１０８）の表面に直接に接触して配置されていることを特徴とする、ガス圧力容器（１０２）を開放するための装置（１０４）。
【請求項２】
前記火薬（１１０）は、前記バーストディスク（１０８）の弱目箇所に配置されている、請求項１記載の装置。
【請求項３】
前記バーストディスク（１０８）は、少なくとも１つの溝（４００）を有していて、該溝（４００）は、前記バーストディスク（１０８）の破断予定箇所として形成されている、請求項１又は２記載の装置。
【請求項４】
第２のバーストディスク（５００）が設けられており、第２のバーストディスク（５００）は、前記火薬（１１０）が前記バーストディスク（１０８）と第２のバーストディスク（５００）との間に配置されているように配置されている、請求項１から３までのいずれか１項記載の装置。
【請求項５】
第２のバーストディスク（５００）は、前記火薬（１１０）用の収容部を有している、請求項４記載の装置。
【請求項６】
前記バーストディスク（１０８）と第２のバーストディスク（５００）とは、溝（４００）を有していて、これらの溝（４００）は、相対するように互いに向けられており、特に電気的な導体路（４０２）が、前記溝（４００）のうちの少なくとも１つに配置されている、請求項４又は５記載の装置。
【請求項７】
前記バーストディスク（１０８）と第２のバーストディスク（５００）との間に前記火薬（１１０）を挟み込むために、前記第２のバーストディスク（５００）は、前記バーストディスク（１０８）に対して初期押圧力をかけられている、請求項４から６までのいずれか１項記載の装置。
【請求項８】
作動準備状態において圧縮された低温ガスが充填されているガス圧力容器（１０２）と、請求項１から７までのいずれか１項記載のガス圧力容器（１０２）を開放するための装置（１０４）とを備え、作動準備状態ではバーストディスク（１０８）が、前記ガス圧力容器（１０２）の流出開口（１０６）を気密に閉鎖していることを特徴とする、低温ガス発生器（１００）。
【請求項９】
低温ガス発生器（１００）の作動中に、前記流出開口（１０６）を通るガス流を制御するための、制御可能な弁が設けられている、請求項８記載の低温ガス発生器。
【請求項１０】
前記バーストディスク（１０８）は、前記ガス圧力容器（１０２）に溶接されている、請求項８又は９記載の低温ガス発生器。
【請求項１１】
ガス圧力容器（１０２）に圧縮された低温ガスを充填する段階（２０２）と、
前記ガス圧力容器（１０２）の流出開口（１０６）を、請求項１から７までのいずれか１項記載のガス圧力容器開放装置（１０４）で閉鎖する段階（２０４）とを有することを特徴とする、低温ガス発生器（１００）の製造方法（２００）。
【発明の詳細な説明】
【技術分野】
【０００１】
本発明は、ガス圧力容器開放装置、低温ガス発生器、並びに低温ガス発生器の製造方法に関する。
【背景技術】
【０００２】
最新の車両では、車両乗員が危険に晒されることを減らすために、低温ガス発生器が、エアバッグ等の乗員安全手段を膨張させるために使用されることが増えていて、これにより、大きなノイズを伴う多量の火薬の爆発と、車両乗員の範囲における多量の高温ガスとが回避される。
【０００３】
ＤＥ１０２００４００９３００Ａ１には、乗員保護装置が記載されている。
【先行技術文献】
【特許文献】
【０００４】
【特許文献１】ＤＥ１０２００４００９３００Ａ１
【発明の概要】
【発明が解決しようとする課題】
【０００５】
このような背景に基づき、本発明では、大きなノイズを伴う多量の火薬の爆発と、車両乗員の範囲における多量の高温ガスとを回避するという課題を解決する、独立請求項に記載のガス圧力容器開放装置、低温ガス発生器並びに低温ガス発生器の製造方法を提案する。有利な構成は、各従属請求項及び以下の説明に記載されている。
【０００６】
爆発は、物体からの爆発の距離が小さければ小さいほど、圧力と温度とを介して物体により強力に作用することができる。爆発の作用が強力であればあるほど、同じ効果を得るために、爆発の全エネルギはより小さくてよい。
【０００７】
物体を最小量の火薬で確実に破壊するために、有利には、爆発は直接物体上で行われてよい。
【課題を解決するための手段】
【０００８】
上記課題を解決するために提案するガス圧力容器開放装置は、ガス圧力容器を気密に閉鎖するためのバーストディスクと、点火パルスに応答してバーストディスクを破壊するための火薬とを有していて、この火薬はバーストディスクの表面に直接に接触して配置されている。
【０００９】
更に上記課題を解決するために提案する低温ガス発生器は、作動準備状態において圧縮された低温ガスが充填されているガス圧力容器と、本発明で提案する手段によりガス圧力容器を開放する装置とを備えており、この場合、バーストディスクは、低温ガス発生器の作動準備状態では、ガス圧力容器の流出開口を気密に閉鎖している。
【００１０】
更に上記課題を解決するために提案する低温ガス発生器の製造方法は、ガス圧力容器に圧縮された低温ガスを充填する段階と、本発明で提案する手段によりガス圧力容器を開放する装置で、ガス圧力容器の流出開口を閉鎖する段階とを有している。
【発明の効果】
【００１１】
ガス圧力容器とは、圧縮されたガスを貯蔵するために形成された、耐圧性の容器を意味する。前記ガスは、低温ガスと呼ぶことができる。それというのも、このガスの流出時の温度は、周辺環境温度よりも低いか、又は周辺環境温度と同じだからである。これに対して、（例えば火薬の爆発時に生じる）燃焼ガスは、高温ガスと呼ぶことができる。ガス圧力容器は、圧力カートリッジと呼ぶことができる。ガス圧力容器は、例えば圧縮空気ボンベと同様の、湾曲された底部と湾曲されたショルダとを備えた円筒形の基本形状を有していてよい。また、ガス圧力容器は、例えば球状であってもよい。ガス圧力容器は、（圧力）強度の高い材料から製造されており且つ大きな壁厚さを有していてよい。バーストディスクは、該バーストディスクに付加的な外力が作用することはない場合、ガス圧力容器内の圧縮ガスの圧力に耐えるために十分な強度を有するダイヤフラムであってよい。バーストディスクは永続的に気密である。所定の力よりも大きな力がバーストディスクに作用すると、バーストディスクは破壊され、延いてはガスを透過させる。火薬は、火薬が点火された場合にガス圧力容器内の圧力と組み合わさってバーストディスクを破壊するために十分な量の火薬であってよい。火薬は、点火器を有していてよい。点火器は、点火パルスにより作動させられてよい。火薬は、爆発物を含んでいてよい。火薬は、例えば火薬の爆発力を局所的に強めるため、又は好適な方向に向けるために、所定の形状を有していてよい。火薬は、バーストディスク上に直接に配置されていてよい。爆発がバーストディスク上で直接に行われると、爆発の効果は大きくなる。この効果は、バーストディスクに対する爆発の力が集束されるか、又は爆発がバーストディスクの内部で行われることにより、高められる。低温ガス発生器は、エネルギ吸収装置の部分であってよい。例えば、低温ガス発生器は、エアバッグシステムの部分であってよい。低温ガス発生器は、バーストディスクがトリガシグナルに基づき破壊された場合に、エアバッグ膨張用のガスを供給することができる。
【００１２】
低温ガス発生器は、この低温ガス発生器の作動中に、流出開口を通るガス流を制御するための、制御可能な弁を有していてよい。この弁は、火薬の点火後にガス圧力容器から流出するガス流を制御することができる。これにより、例えばエアバッグを部分的に膨らませることができる。エアバッグは段階的に膨らまされてもよい。また、例えばガス圧力容器からパルス式（断続的）にガスを放出することにより、所定の充填率におけるエアバッグの使用可能時間を延ばすこともできる。
【００１３】
バーストディスクは、ガス圧力容器に溶接されていてよい。溶接により、バーストディスクはガス圧力容器に永続的且つ確実に結合され得る。溶接は、例えばレーザ溶接により行われてよい。ガス圧力容器を閉鎖するために、溶接は充填に引き続いて直ちに行われてよい。
【００１４】
火薬は、バーストディスクの弱目箇所に配置されていてよい。弱目箇所は、例えばバーストディスクに圧力が加えられた場合に、バーストディスクの材料内で最も高い応力が存在するバーストディスクの箇所であってよい。例えば、弱目箇所は凹部を有するバーストディスクの箇所に配置されていてよい。同様に、弱目箇所は、バーストディスクが他の箇所よりも薄い材料厚さを有している箇所に配置されていてもよい。
【００１５】
バーストディスクは、少なくとも１つの溝を有していてよく、この場合、溝は、バーストディスクの破断予定箇所として形成されている。溝は、刻み目であってよい。溝は、細長い凹部であってよい。バーストディスクが複数の溝を有している場合、これらの溝は交差していてよい。溝によってバーストディスクは構造的に弱められるので、火薬が点火されると、バーストディスクの溝のところは機能不全となるか、又は破断することになる。溝を設けることにより、バーストディスクの破壊パターンを予め決めておくことができ、これにより、ガスは予め決められた形式でガス圧力容器から流出することができるようになっている。
【００１６】
ガス圧力容器開放装置は第２のバーストディスクを有していてよく、第２のバーストディスクは、火薬がバーストディスクと第２のバーストディスクとの間に配置されているように配置されている。第２のバーストディスクは、バーストディスクと実質的に同一であってよい。第２のバーストディスクは、バーストディスクの、圧力容器とは反対の側に配置されていてよい。第２のバーストディスクは、ガス圧力容器内の圧力により負荷されていなくてよい。第２のバーストディスクは、製造に際してバーストディスクの後にガス圧力容器に取り付けられてよい。火薬は、両バーストディスク間に保護されるようにして配置されていてよい。
【００１７】
第２のバーストディスクは、火薬用の収容部、例えばスペーサリングを有していてよい。第２のバーストディスクは、低温ガス発生器の製造に際して、第１のバーストディスクによりガス圧力容器が気密に閉鎖されてから、収容部内の火薬と共に第１のバーストディスクに配置されてよい。火薬を後から取り付けることにより、バーストディスクをガス圧力容器に簡単に結合することができる。次いで火薬を別個の作業工程で、熱的な影響を及ぼすことなしにバーストディスクに配置することができる。
【００１８】
第２のバーストディスクは、点火パルスを案内するための電気的な導体路を有していてよい。第２のバーストディスクは、点火パルスを火薬に案内することのできるスルーコンタクトを有していてよい。これにより、火薬は自由にアプローチ可能な端子を介して点火され得る。
【００１９】
バーストディスクと第２のバーストディスクとは溝を有していてよく、この場合、これらの溝は相対するように向けられており、特に電気的な導体路は溝に配置されているか、又はスペーサリングによりガイドされる。相対するように向けられた溝は、合致するように合わされた溝であってよく、これらの溝は通路を形成する。これらの通路内に、火薬の点火用の電気的な導線が配置されていてよい。これにより、火薬はバーストディスクの中心に配置されていて、外部から容易に点火することができるようになっており、導線を埋め込むことにより、バーストディスクの特定の箇所が弱くなることはない。
【００２０】
火薬をバーストディスクと第２のバーストディスクとの間に挟み込むために、第２のバーストディスクは、バーストディスクに対して初期押圧力をかけられていてよい。例えば、第２のバーストディスクの所定の縁部がバーストディスクに対して押圧されていてよい。これにより、第２のバーストディスクは弾性変形させられ、火薬は第２のバーストディスクのばね力により、第１のバーストディスクに押し付けられる。第２のバーストディスクは、弛緩した状態でバーストディスクと正反対の形状を有していてもよい。低温ガス発生器の製造に際して、第２のバーストディスクを、バーストディスクと同じ形状に曲げることができる。
【図面の簡単な説明】
【００２１】
【図１】本発明の実施形態による低温ガス発生器のブロック図である。
【図２】本発明の実施形態による低温ガス発生器の製造方法のフローチャートを示した図である。
【図３】本発明の実施形態による低温ガス発生器を示した図である。
【図４】本発明の実施形態によるガス圧力容器開放装置を示した図である。
【図５】本発明の実施形態による２つのバーストディスクを備えた装置を示した図である。
【発明を実施するための形態】
【００２２】
以下に、本発明を実施するための形態を図面につき詳しく説明する。
【００２３】
本発明の好適な実施形態に関する以下の説明では、異なる図面に図示されていて且つ類似の作用を有する部材に関して同一又は類似の符号が用いられており、これらの部材の重複する説明は省かれている。
【００２４】
図１には、本発明の実施形態による低温ガス発生器１００のブロック図が示されている。低温ガス発生器１００は、ガス圧力容器１０２と、ガス圧力容器１０２を開放するための装置１０４とを有している。ガス圧力容器１０２は、耐圧性であり且つ流出開口１０６を有している。この流出開口１０６を介してガス圧力容器１０２には製造時に、圧縮された低温ガスが充填される。次いで流出開口１０６は、ガス圧力容器開放装置１０４により気密に閉鎖される。ガス圧力容器開放装置１０４は、バーストディスク１０８と、バーストディスク１０を破壊するための火薬１１０とを有している。バーストディスク１０８は、流出開口１０６に対して横方向に配置されていて、流出開口１０６を完全且つ気密に閉鎖している。バーストディスク１０８はダイヤフラムとして形成されていて、低温ガスの圧力に耐えることができ且つ永続的に密封作用を有するように設計されている。火薬１１０は、バーストディスク１０８の表面に直接に配置されている。火薬１１０は、点火時に点火パルスに応答して、ガス圧力容器１０２内の圧力による押圧力と組み合わされて、バーストディスク１０８の耐久力よりも大きな力をバーストディスク１０８に加えるように形成されている。火薬１１０は、本実施形態ではバーストディスク１０８の外側に配置されている。火薬１１０は、ガス圧力容器１０２の内部に配置されていてもよい。
【００２５】
換言すると、図１にはバーストディスク１０８を備えた低温ガス発生器１００が示されており、この低温ガス発生器１００は、衝突時の車両の乗員のパッシブセーフティを達成するためのアクチュエータ機能の構成部材として使用することができる。
【００２６】
低温ガス発生器には、ガス圧力容器を開放するための従来の点火ペレットが装備されていてよい。この場合、圧力容器を開放する複数の機能形式が可能である。例えば、容器の一方の端部から他方の端部に進行し、そこでダイヤフラムを破壊する圧力波を形成することができる。同様に、点火ペレットはダイヤフラムを破壊する熱を発生させることができる。点火ペレットは、ダイヤフラムを破壊するピンを加速させることもできる。あるいは点火ペレットは、ダイヤフラムを支持するレバーを移動させ、これによりダイヤフラムを破壊する。
【００２７】
ここに挙げた手段によって、最低限の火薬１１０で気密なダイヤフラム１０８を破壊することが可能である。これにより、ダイヤフラム１０８を破壊するために少量の火薬１１０しか必要でないので、圧力容器１０２を比較的簡単に取り扱うことができる。少量の危険物質は、事故のリスクをより一層低下させる。火薬１１０の最大の効果を得るために、火薬１１０はダイヤフラム１０８に直接に接触して配置されている。
【００２８】
図２には、本発明の実施形態による低温ガス発生器の製造方法２００のフローチャートが示されている。この方法２００は、充填段階２０２と、閉鎖段階２０４とを有している。当該方法により、図１に示したような低温ガス発生器が製造可能である。充填段階２０２において、ガス圧力容器に圧縮された低温ガスが充填される。閉鎖段階２０４において、ガス圧力容器の流出開口が、上述したようにガス圧力容器開放装置により気密に閉鎖される。
【００２９】
図３には、本発明の実施形態による低温ガス発生器１００が示されている。この低温ガス発生器１００は、図１に示したようにガス圧力容器１０２と、上述した手段によるガス圧力容器開放装置１０４とを有している。ガス圧力容器又はタンク１０２は、湾曲された底部とショルダとを備えた円筒形の基体を有している。ここでは、下方に配置されたショルダを備えたガス圧力容器１０２が図示されている。ガス圧力容器１０２はショルダの領域に、流出開口１０６を有している。ガス圧力容器１０２は、本実施形態では膨張袋又はエアバッグに接続されるように形成されている。流出開口１０６は、ガス圧力容器開放装置１０４により閉鎖されている。ガス圧力容器には、高圧の低温ガスが充填されている。バーストディスク１０８は、ガス圧力容器１０２内の圧力に基づき、外向きに湾曲されている。ガス圧力容器開放装置１０４は閉鎖状態において、低温ガスが流出開口１０６に隣接する出口３００を通ってエアバッグに向かって流れることを阻止している。
【００３０】
換言すると、図３にはタンク１０２と、バーストディスク１０８と、エアバッグに通じる出口３００を表す流出開口１０６とが概略的に図示されている。
【００３１】
図４には、本発明の実施形態によるガス圧力容器開放装置１０４が示されている。このガス圧力容器開放装置１０４は、バーストディスク１０８と火薬１１０とを有している。バーストディスク１０８は円形であり、放射状に規則的に交差する２つ又はそれ以上の溝４００を有している。これらの溝４００の領域では、バーストディスク１０８の材料厚さが減少されている。つまり、溝４００はバーストディスク１０８の破断予定箇所である。バーストディスク１０８の中心の、溝４００の交点に、火薬１１０が配置されている。火薬１１０は、交点に生じたバーストディスク１０８の凹部において、バーストディスク１０８の表面に直接に配置されている。火薬１１０は、バーストディスク１０８と比べると極めて小さい。火薬１１０は、バーストディスク１０８の弱目箇所に配置されている。火薬１１０に通じる２本の電気的な導線４０２が、２つの隣り合う溝４００内を案内されて配置されているか、又はスペーサにより案内されて配置されている。電気的な導線４０２は、火薬１１０用の点火器を介して接続されている。この点火器は、火薬１１０内に組み込まれている。
【００３２】
換言すると、図４には、エンボス加工部４００と、電気的な配線４０２と、爆発物から成る火薬１１０とを備えたバーストディスク１０８が図示されている。エンボス加工部４００は、バーストディスク１０８に設けられた凹部である。
【００３３】
図５には、本発明の実施形態に基づき２つのバーストディスク１０８，５００を備えたガス圧力容器開放装置が示されている。このガス圧力容器開放装置は、例えば図１に示したガス圧力容器開放装置１０４と同一であってよい。図１に示したガス圧力容器開放装置に加えて付加的に、ここに示したガス圧力容器開放装置１０４は、第２のバーストディスク５００を有している。バーストディスク１０８と第２のバーストディスク５００とは、互いに重なり合って整合するように配置されている。両バーストディスク１０８，５００の間には、小さな空隙が配置されている。第２のバーストディスク５００は、空隙に沿ってバーストディスク１０８に対して鏡像的に形成されている。円形のバーストディスク１０８，５００の、それぞれ他方のバーストディスク１０８，５００に面した側の中心には、各１つの凹部が配置されていて、これにより、両バーストディスク１０８，５００間に中空室が形成されている。溝又はスペーサによる前記中空室内には、火薬１１０が配置されている。火薬１１０は、第２のバーストディスク５００に取り付けられていて、第２のバーストディスク５００によりバーストディスク１０８に対して押圧され、その結果、火薬１１０はバーストディスク１０８の表面に直接に配置されていることになる。つまり、第２のバーストディスク５００に設けられた凹部は、火薬１１０用の収容部として用いられる。両バーストディスク１０８，５００が、図４に示した実施形態と同様に複数の溝を有している場合には、これらの溝もやはり合致するように配置されており、これにより、火薬１１０が点火された場合に、両バーストディスク１０８，５００が溝に沿って破断することが保証されている。
【００３４】
換言すると、図５には、結合されたバーストディスク１０８，５００の概略図が示されている。この場合、火薬１１０は第１のバーストディスク１０８と第２のバーストディスク５００との間に配置されている。
【００３５】
次に、図３、図４及び図５を別の言葉で説明する。圧力容器１０２（タンク）と、エアバッグに通じる出口開口３００との間に、バーストディスク１０８が取り付けられている（図３）。エアバッグに通じる出口開口３００は、直接に開放されるか、又は中間に配置された弁を介して開閉可能である。これにより、アダプティブエアバッグが実現され得る。バーストディスク１０８は複数のエンボス加工部４００（溝）を有していて、これらのエンボス加工部４００は、バーストディスク１０８の後の破断線の設定に用いられる。バーストディスク１０８の中心に全ての凹部４００が集中していて（図４）、ここに火薬１１０が配置される。火薬１１０が電気的に点火されるようにするために、電気供給部４０２が中心までダイヤフラム１０８の凹部４００内を案内される。結合された２つの同一のバーストディスクを装備することが可能である（図５）。第１のバーストディスク１０８は、圧力容器１０２の底部を閉鎖（例えばレーザ溶接）しており、第２のバーストディスク５００は、第１のバーストディスク１０８に対して鏡像的に構成されている（例えば出口開口や弁を有する部分にねじ締結されている）。第２のバーストディスク５００は、火薬１１０を有していてよい。これにより、溶接過程による火薬１１０への影響は一切生じない。つまり、火薬１１０は両バーストディスク１０８，５００の間に位置していて、温度変化により材料から解離する恐れはない。それというのも、火薬１１０は挟み込まれているからである。火薬１１０はバーストディスク１０８の最も弱い箇所に直接に位置決めされているので、今や火薬１１０の作用効果は最適になっている。
【００３６】
上述した図示の実施形態は、例として選択されているに過ぎない。種々様々な実施形態を全体的に、又は個々の特徴に関連して、互いに組み合わせることができる。また、１つの実施形態に別の実施形態の特徴を補足することもできる。
【００３７】
更に、本発明による方法段階を繰り返し実施すること、並びに本発明による方法段階を、説明した順序とは異なる順序で実施することができる。
【符号の説明】
【００３８】
１００  低温ガス発生器、  １０２  ガス圧力容器、  １０４  ガス圧力容器開放装置、  １０６  流出開口、  １０８，５００  バーストディスク、  １１０  火薬、  ２００  低温ガス発生器の製造方法、  ２０２  充填段階、  ２０４  閉鎖段階、  ３００  出口、  ４００  溝、  ４０２  電気的な導線
【図１】
2014091521.tif 000003
【図２】
2014091521.tif 000004
【図３】
2014091521.tif 000005
【図４】
2014091521.tif 000006
【図５】
2014091521.tif 000007
【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
ガス圧力容器（１０２）を気密に閉鎖するためのバーストディスク（１０８）と、
点火パルスに応答して前記バーストディスク（１０８）を破壊するための火薬（１１０）とを有し、前記火薬（１１０）は、前記バーストディスク（１０８）の表面に直接に接触して配置されていることを特徴とする、ガス圧力容器（１０２）を開放するための装置（１０４）。
【請求項２】
前記火薬（１１０）は、前記バーストディスク（１０８）の弱目箇所に配置されている、請求項１記載の装置。
【請求項３】
前記バーストディスク（１０８）は、少なくとも１つの溝（４００）を有していて、該溝（４００）は、前記バーストディスク（１０８）の破断予定箇所として形成されている、請求項１又は２記載の装置。
【請求項４】
第２のバーストディスク（５００）が設けられており、第２のバーストディスク（５００）は、前記火薬（１１０）が前記バーストディスク（１０８）と第２のバーストディスク（５００）との間に配置されているように配置されている、請求項１から３までのいずれか１項記載の装置。
【請求項５】
第２のバーストディスク（５００）は、前記火薬（１１０）用の収容部を有している、請求項４記載の装置。
【請求項６】
前記バーストディスク（１０８）と第２のバーストディスク（５００）とは、溝（４００）を有していて、これらの溝（４００）は、相対するように互いに向けられている、請求項４又は５記載の装置。
【請求項７】
前記溝（４００）のうちの少なくとも１つに、電気的な導体路（４０２）が配置されている、請求項６記載の装置。
【請求項８】
前記バーストディスク（１０８）と第２のバーストディスク（５００）との間に前記火薬（１１０）を挟み込むために、前記第２のバーストディスク（５００）は、前記バーストディスク（１０８）に対して初期押圧力をかけられている、請求項４から７までのいずれか１項記載の装置。
【請求項９】
作動準備状態において圧縮された低温ガスが充填されているガス圧力容器（１０２）と、請求項１から８までのいずれか１項記載のガス圧力容器（１０２）を開放するための装置（１０４）とを備え、作動準備状態ではバーストディスク（１０８）が、前記ガス圧力容器（１０２）の流出開口（１０６）を気密に閉鎖していることを特徴とする、低温ガス発生器（１００）。
【請求項１０】
低温ガス発生器（１００）の作動中に、前記流出開口（１０６）を通るガス流を制御するための、制御可能な弁が設けられている、請求項９記載の低温ガス発生器。
【請求項１１】
前記バーストディスク（１０８）は、前記ガス圧力容器（１０２）に溶接されている、請求項９又は１０記載の低温ガス発生器。
【請求項１２】
ガス圧力容器（１０２）に圧縮された低温ガスを充填する段階（２０２）と、
前記ガス圧力容器（１０２）の流出開口（１０６）を、請求項１から８までのいずれか１項記載のガス圧力容器開放装置（１０４）で閉鎖する段階（２０４）とを有することを特徴とする、低温ガス発生器（１００）の製造方法（２００）。
【手続補正２】
【補正対象書類名】図面
【補正対象項目名】図２
【補正方法】変更
【補正の内容】
【図２】
2014091521.tif 000008